(57)【要約】【課題】発光管の適切な温度調整を可能とする光源装置、及びその光源装置を有するプロジェクターを提供すること。【解決手段】光を射出する発光部１５を備える発光管１１と、発光部１５の周囲のうちの第１の部分を覆い、発光部１５から射出した光を発光部１５へ向けて反射させる副反射鏡１３と、発光部１５から射出した光と、副反射鏡１３で反射した光とを反射させる主反射鏡１２と、発光部１５の周囲のうち、発光部１５を介して第１の部分に対向する第２の部分を覆い、発光部１５から射出した光を透過させる透過カバー１４と、を有する。【選択図】図１
2010170858.tif 000002
【特許請求の範囲】
【請求項１】
光を射出する発光部を備える発光管と、
前記発光部の周囲のうちの第１の部分を覆い、前記発光部から射出した光を前記発光部へ向けて反射させる副反射鏡と、
前記発光部から射出した光と、前記副反射鏡で反射した光とを反射させる主反射鏡と、
前記発光部の周囲のうち、前記発光部を介して前記第１の部分に対向する第２の部分を覆い、前記発光部から射出した光を透過させる透過カバーと、を有することを特徴とする光源装置。
【請求項２】
前記主反射鏡は、中心軸を中心として所定の曲線を回転させることにより得られる回転曲面を、所定の面で切断することにより得られる曲面と略同じ形状をなし、
前記第１の部分は、前記発光部に対して、前記主反射鏡が設けられた側とは反対側にあることを特徴とする請求項１に記載の光源装置。
【請求項３】
前記発光部の周囲へ冷却風を供給する冷却風供給部を有し、
前記冷却風供給部は、前記副反射鏡及び前記透過カバーにより囲まれた領域と外部とを連通させて設けられることを特徴とする請求項２に記載の光源装置。
【請求項４】
前記冷却風供給部は、前記第１の部分へ前記冷却風を供給する第１冷却風供給部と、前記第２の部分へ前記冷却風を供給する第２冷却風供給部と、を有することを特徴とする請求項３に記載の光源装置。
【請求項５】
前記主反射鏡は、中心軸を中心として所定の曲線を回転させることにより得られる回転曲面と略同じ形状をなし、
前記第１の部分は、前記発光部に対して被照射面側にあることを特徴とする請求項１に記載の光源装置。
【請求項６】
前記発光部の周囲へ冷却風を供給する冷却風供給部を有し、
前記冷却風供給部は、前記副反射鏡及び前記透過カバーにより囲まれた領域と外部とを連通させて設けられることを特徴とする請求項５に記載の光源装置。
【請求項７】
前記冷却風供給部は、前記第２の部分と前記外部とを連通させて設けられることを特徴とする請求項６に記載の光源装置。
【請求項８】
前記発光管は、封止部を有し、
前記冷却風供給部は、前記封止部の近傍に設けられることを特徴とする請求項３、４、６及び７のいずれか一項に記載の光源装置。
【請求項９】
前記発光管は、封止部を有し、
少なくとも前記封止部と、前記主反射鏡と、前記冷却風供給部とを固着する固着部を有することを特徴とする請求項３、４、６、７及び８のいずれか一項に記載の光源装置。
【請求項１０】
前記冷却風供給部へ前記冷却風を送る送風部を有することを特徴とする３、４、６、７、８及び９のいずれか一項に記載の光源装置。
【請求項１１】
前記冷却風供給部は、前記発光管を挟んで配置された第１冷却風供給部及び第２冷却風供給部を有し、
重力方向に対する前記発光管の向きを検出する姿勢検出部と、
前記姿勢検出部による検出結果に応じて前記第１冷却風供給部へ供給する前記冷却風の風量と、前記第２冷却風供給部へ供給する前記冷却風の風量と、の少なくとも一方を調整する風量調整部と、を有することを特徴とする請求項１０に記載の光源装置。
【請求項１２】
請求項１〜１１のいずれか一項に記載の光源装置と、
前記光源装置から射出した光を画像信号に応じて変調する空間光変調装置と、を有することを特徴とするプロジェクター。
【発明の詳細な説明】
【技術分野】
【０００１】
本発明は、光源装置及びプロジェクター、特に、リフレクターを有する光源装置の技術に関する。
【背景技術】
【０００２】
プロジェクターの光源として使用されるランプ、例えば超高圧水銀ランプ等の放電ランプには、発光管から射出した光を反射させるリフレクターが用いられている。プロジェクターにより効率良く明るい画像を得るために、従来、発光管から射出した光の利用効率を高めるための光源装置の構成が提案されている。例えば、主反射鏡であるリフレクターとは別に、発光管の発光部近傍に副反射鏡を設ける技術が提案されている（例えば、特許文献１及び２参照）。副反射鏡で反射した光は、発光管を通過した後、主反射鏡にて前側へ向けて反射する。これにより、光源装置からの光を利用する光学系へ、発光管から射出した光を効率良く進行させることが可能となる。
【０００３】
【特許文献１】特開２００１−１０９０６８号公報
【特許文献２】特開２００８−２４３６４０号公報
【発明の開示】
【発明が解決しようとする課題】
【０００４】
プロジェクターに用いられるランプは、供給された電気エネルギーの多くが熱となり高温となることから、冷却風などによる冷却が必要となる。副反射鏡を備える構成の場合、発光部表面のうち副反射鏡により覆われる部分について、冷却が困難となる。この場合、発光部表面のうち副反射鏡により覆われる部分と、それ以外の部分とで異なる放熱性を示すこととなるため、発光管の適切な温度調整が困難になるという問題を生じる。発光管のうち冷却が不十分な部分は、発光管を構成する透明部材が熱により結晶化し、白濁する場合が生じ得る。本発明は、上述の問題に鑑みてなされたものであり、発光管の適切な温度調整を可能とする光源装置、及びその光源装置を有するプロジェクターを提供することを目的とする。
【課題を解決するための手段】
【０００５】
上述した課題を解決し、目的を達成するために、本発明に係る光源装置は、光を射出する発光部を備える発光管と、発光部の周囲のうちの第１の部分を覆い、発光部から射出した光を発光部へ向けて反射させる副反射鏡と、発光部から射出した光と、副反射鏡で反射した光とを反射させる主反射鏡と、発光部の周囲のうち、発光部を介して第１の部分に対向する第２の部分を覆い、発光部から射出した光を透過させる透過カバーと、を有することを特徴とする。
【０００６】
発光部の周囲のうち第１の部分に副反射鏡、第２の部分に透過カバーを設けることにより、発光部表面における放熱の非対称性を解消させ、発光管の適切な温度調整を可能とする。これにより、発光管の適切な温度調整を可能とする光源装置を得られる。発光管の適切な温度調整により、発光管の劣化を低減できる。
【０００７】
また、本発明の好ましい態様としては、主反射鏡は、中心軸を中心として所定の曲線を回転させることにより得られる回転曲面を、所定の面で切断することにより得られる曲面と略同じ形状をなし、第１の部分は、発光部に対して、主反射鏡が設けられた側とは反対側にあることが望ましい。これにより、薄型で、効率良く光を射出可能な光源装置を得られる。
【０００８】
また、本発明の好ましい態様としては、発光部の周囲へ冷却風を供給する冷却風供給部を有し、冷却風供給部は、副反射鏡及び透過カバーにより囲まれた領域と外部とを連通させて設けられることが望ましい。これにより、発光部を効率良く冷却することができる。
【０００９】
また、本発明の好ましい態様としては、冷却風供給部は、第１の部分へ冷却風を供給する第１冷却風供給部と、第２の部分へ冷却風を供給する第２冷却風供給部と、を有することが望ましい。これにより、発光部のうち、副反射鏡により覆われた部分と、透過カバーに覆われた部分との冷却が可能となる。
【００１０】
また、本発明の好ましい態様としては、主反射鏡は、中心軸を中心として所定の曲線を回転させることにより得られる回転曲面と略同じ形状をなし、第１の部分は、発光部に対して被照射面側にあることが望ましい。これにより、効率良く光を射出可能な光源装置を得られる。
【００１１】
また、本発明の好ましい態様としては、発光部の周囲へ冷却風を供給する冷却風供給部を有し、冷却風供給部は、副反射鏡及び透過カバーにより囲まれた領域と外部とを連通させて設けられることが望ましい。これにより、発光部を効率良く冷却することができる。
【００１２】
また、本発明の好ましい態様としては、冷却風供給部は、第２の部分と外部とを連通させて設けられることが望ましい。これにより、発光部のうち、透過カバーにより覆われた部分の冷却が可能となる。さらに、冷却風供給部からの冷却風を副反射鏡近傍から外部へ排出させることにより、発光部のうち副反射鏡により覆われた部分の冷却も可能となる。
【００１３】
また、本発明の好ましい態様としては、発光管は、封止部を有し、冷却風供給部は、封止部の近傍に設けられることが望ましい。これにより、発光部から射出された光の冷却風供給部による遮蔽を低減可能な構成により、発光部の周囲へ冷却風を供給することが可能となる。
【００１４】
また、本発明の好ましい態様としては、発光管は、封止部を有し、少なくとも封止部と、主反射鏡と、冷却風供給部とを固着する固着部を有することが望ましい。これにより、固着部において冷却風供給部を固定することができる。
【００１５】
また、本発明の好ましい態様としては、冷却風供給部へ冷却風を供給する送風部を有することが望ましい。送風部を用いて積極的に冷却風を供給することにより、発光管のさらに適切な温度調整を可能とする。
【００１６】
また、本発明の好ましい態様としては、冷却風供給部は、発光管を挟んで配置された第１冷却風供給部及び第２冷却風供給部を有し、重力方向に対する発光管の向きを検出する姿勢検出部と、姿勢検出部による検出結果に応じて第１冷却風供給部へ供給する冷却風の風量と、第２冷却風供給部へ供給する冷却風の風量と、の少なくとも一方を調整する風量調整部と、を有することが望ましい。発光管により熱せられた空気は、重力方向下側に対して上側において多くなる。姿勢検出部による検出結果に応じて冷却風の風量を調整することにより、発光管の向きに関わらず、発光管の適切な温度調整が可能となる。
【００１７】
さらに、本発明に係るプロジェクターは、上記の光源装置と、光源装置から射出した光を画像信号に応じて変調する空間光変調装置と、を有することを特徴とする。上記の光源装置を用いることで、発光管の適切な温度調整により、発光管の劣化を低減できる。これにより、高い信頼性のプロジェクターを得られる。
【発明を実施するための最良の形態】
【００１８】
以下に図面を参照して、本発明の実施例を詳細に説明する。
【実施例１】
【００１９】
図１は、本発明の実施例１に係る光源装置１０の斜視概略構成を示す。図２は、図１に示す構成から透過カバー１４を取り除いた状態を示す。図３は、図２に示す構成を後方から見た状態、及び送風機２５を示す。発光管１１は、例えば、超高圧水銀ランプである。発光管１１の内部は、例えば石英部材を用いて封止されている。発光部１５は、発光管１１のうち第１封止部１６及び第２封止部１７に挟まれた球状部分であって、光を射出する。発光部１５の内部には、一対の電極が配置される放電空間が形成されている。第１封止部１６は、発光管１１のうち、発光部１５に対して前側に設けられた円筒形状の封止部である。第２封止部１７は、発光管１１のうち、発光部１５に対して後側に設けられた円筒形状の封止部である。なお、「前側」とは、発光部から見て被照射面がある側をいうものとし、「後側」とは、発光部に対して前側とは反対の側をいうものとする。
【００２０】
主反射鏡１２は、発光部１５から射出した光と、副反射鏡１３で反射した光とを反射させ、前側へ進行させる。主反射鏡１２は、中心軸ＡＸを中心として楕円を回転させることにより得られる回転楕円面を、所定の平面で切断することにより得られる曲面と略同じ形状をなしている。発光管１１は、中心軸ＡＸ上に配置されている。本実施例では、所定の平面とは、中心軸ＡＸを含む平面である。なお、所定の平面は、光の利用効率を上げるために、中心軸ＡＸを含む平面以外の面としても良い。所定の平面は、例えば、中心軸ＡＸに平行な平面や、中心軸ＡＸに対して角度を持たせた平面であっても良い。
【００２１】
主反射鏡１２は、所望の形状に成形された基材の表面に高反射性部材、例えば誘電体多層膜や金属部材を蒸着させることにより構成されている。高反射性部材は、可視領域の波長の光について高い反射率である部材を用いる。回転楕円面を切断した形状の主反射鏡１２を用いることにより、光源装置１０は、薄型な構成とすることができる。なお、主反射鏡１２は、回転楕円面を切断することにより得られる曲面と略同じ形状に限られない。例えば、放物線などの所定の曲線を回転させることにより得られる回転曲面を切断することにより得られる曲面と略同じ形状や、自由曲面形状などとしても良い。
【００２２】
副反射鏡１３は、発光部１５から射出した光を発光部１５へ向けて反射させる。副反射鏡１３は、発光部１５の周囲のうち、発光部１５に対して主反射鏡１２が設けられた側とは反対側の部分（第１の部分）を覆う。副反射鏡１３と発光部１５との間には、隙間が設けられている。副反射鏡１３は、所望の形状に成形された基材の表面に高反射性部材、例えば誘電体多層膜や金属部材を蒸着させることにより構成されている。高反射性部材は、可視領域の波長の光について高い反射率である部材を用いる。主反射鏡１２と副反射鏡１３とを設けることにより、光源装置１０からの光を利用する光学系へ、発光部１５から射出した光を効率良く進行させることが可能となる。
【００２３】
透過カバー１４は、発光部１５から射出した光を透過させる。透過カバー１４は、発光部１５の周囲のうち、発光部１５に対して主反射鏡１２が設けられた側の部分（第２の部分）を覆う。発光部１５は、発光部１５を介して互いに対向させて設けられた副反射鏡１３及び透過カバー１４によって、周囲を覆われている。透過カバー１４と発光部１５との間には、隙間が設けられている。透過カバー１４は、透明部材、例えば石英部材を用いて構成されている。なお、透過カバー１４のうち発光部１５側の表面には、発光部１５からの光の反射を低減させる反射防止膜を形成することが望ましい。これにより、発光部１５からの光を効率良く取り出すことが可能となる。
【００２４】
４つのノズル２１、２２、２３、２４は、第２封止部１７の近傍において、中心軸ＡＸに略平行に設けられている。４つのノズル２１、２２、２３、２４は、いずれも、副反射鏡１３及び透過カバー１４により囲まれた領域と外部とを連通させて設けられている。このうち、透過カバー側供給ノズル２１、透過カバー側排出ノズル２２は、発光部１５の周囲のうち透過カバー１４に覆われた第２の部分と外部とを連通させている。透過カバー側供給ノズル２１は、送風管２６を介して送風機２５に接続されている。送風機２５は、それぞれ送風管２６を介して、透過カバー側供給ノズル２１、副反射鏡側供給ノズル２３へ冷却風を送る。透過カバー側供給ノズル２１は、送風機２５からの冷却風を第２の部分へ供給する第２冷却風供給部として機能する。透過カバー側排出ノズル２２は、熱を奪った空気を第２の部分から外部へ排出させる。
【００２５】
副反射鏡側供給ノズル２３、副反射鏡側排出ノズル２４は、発光部１５の周囲のうち副反射鏡１３に覆われた第１の部分と外部とを連通させている。副反射鏡側供給ノズル２３は、送風管２６を介して送風機２５に接続されている。副反射鏡側供給ノズル２３は、送風機２５からの冷却風を第１の部分へ供給する第１冷却風供給部として機能する。副反射鏡側排出ノズル２４は、熱を奪った空気を第１の部分から外部へ排出させる。第２封止部１７の近傍に各ノズル２１、２２、２３、２４を設けることにより、発光部１５から射出された光の遮蔽を低減可能な構成により、発光部１５へ局所的に冷却風を供給することができる。
【００２６】
図４は、光源装置１０の断面概略構成を示す。固着部２７は、主反射鏡１２のうち後側の基部２０に設けられている。固着部２７は、第２封止部１７と、主反射鏡１２と、副反射鏡１３と、透過カバー１４と、各ノズル２１、２２、２３、２４とを固着する。ここでは、各ノズル２１、２２、２３、２４のうち透過カバー側供給ノズル２１、副反射鏡側供給ノズル２３を図示している。固着部２７は、例えば、セメントを固化させて構成されている。固着部２７を設けることにより、基部２０において各ノズル２１、２２、２３、２４を固定することができる。なお、副反射鏡１３は、固着部２７により基部２０に固定される場合に限られず、固定する態様は適宜変更しても良い。
【００２７】
図５は、送風部２５により供給された冷却風による発光部１５の冷却について説明するものである。ここでは、説明に不要な構成の図示を省略している。透過カバー側供給ノズル２１からの冷却風は、発光部１５の周囲のうち透過カバー１４側の部分へ供給される。発光部１５の周囲のうち透過カバー１４側の部分で熱を奪った空気の一部は、第１封止部１６と透過カバー１４との間に設けられた隙間から排出される。また、透過カバー側供給ノズル２１から供給され、熱を奪った空気の一部は、透過カバー側排出ノズル２２又は副反射鏡側排出ノズル２４から排出される。
【００２８】
副反射鏡側供給ノズル２３からの冷却風は、発光部１５の周囲のうち副反射鏡１３側の部分へ供給される。発光部１５の周囲のうち副反射鏡１３側の部分で熱を奪った空気の一部は、第１封止部１６と副反射鏡１３との間に設けられた隙間から排出される。また、副反射鏡側供給ノズル２３から供給され、熱を奪った空気の一部は、副反射鏡側排出ノズル２４又は透過カバー側排出ノズル２２から排出される。このようにして、熱源となる発光部１５を効率良く冷却することが可能となる。
【００２９】
発光部１５の周囲のうち、発光部１５を介して副反射鏡１３に対向させて透過カバー１４を設けることにより、発光部１５表面における放熱の非対称性を解消させ、発光管１１の適切な温度調整を可能とする。これにより、発光管１１の適切な温度調整が可能となるという効果を奏する。また、発光管１１の適切な温度調整により、発光管１１の劣化を低減できる。例えば、発光管１１を構成する透明部材について、結晶化による白濁の発生を低減させることができる。
【００３０】
冷却風は、送風機２５から発光部１５表面への送風により供給する場合に限られず、例えば、発光部１５の周囲の空気を吸引することにより、外部から取り込んだ空気を発光部１５へ供給することとしても良い。また、ノズルは４つである場合に限られず、少なくとも２つであれば良い。例えば、透過カバー側排出ノズル２２と副反射鏡側排出ノズル２４とを省略し、透過カバー側供給ノズル２１、副反射鏡側供給ノズル２３から供給された空気を第１封止部１６側の隙間のみから排出させることとしても良い。
【実施例２】
【００３１】
図６は、本発明の実施例２に係る光源装置３０の概略構成を示す。本実施例に係る光源装置３０は、姿勢検出部３４による検出結果に応じて冷却風の風量を調整することを特徴とする。上記の実施例１と同一の部分には同一の符号を付し、重複する説明を省略する。第１送風機３１は、送風管２６を介して、副反射鏡側供給ノズル２３へ冷却風を送る。第２送風機３２は、送風管２６を介して、透過カバー側供給ノズル２１へ冷却風を送る。
【００３２】
姿勢検出部３４は、重力方向に対する発光管１１の向きを検出する。風量調整部３３は、姿勢検出部３４による検出結果に応じて、第１送風機３１から送る冷却風の風量と、第２送風機３２から送る冷却風の風量と、の少なくとも一方を調整する。
【００３３】
例えば、発光部１５のうち透過カバー１４に覆われた側が重力方向上側であって、副反射鏡１３に覆われた側が重力方向下側であることが、姿勢検出部３４により検出されている場合を第一の姿勢とする。また、発光部１５のうち副反射鏡１３に覆われた側が重力方向上側であって、透過カバー１４に覆われた側が重力方向下側であることが、姿勢検出部３４により検出されている場合を第二の姿勢とする。
【００３４】
ここで、姿勢検出部３４により第二の姿勢であることが検出されたとする。この場合、発光部１５のうち副反射鏡１３で覆われた側では、熱せられた空気が第一の姿勢であるときよりも多くなる。従って、風量調整部３３は、第１送風機３１から送る冷却風の風量を第一の姿勢であるときより多くする調整を行う。また、姿勢検出部３４により第一の姿勢であることが検出されたとする。この場合、風量調整部３３は、第２送風機３２から送る冷却風の風量を第二の姿勢であるときより多くする調整を行う。
【００３５】
このように、姿勢検出部３４による検出結果に応じて冷却風の風量を調整することにより、発光管１１の向きに関わらず、発光管１１の適切な温度調整が可能となるという効果を奏する。本実施の形態に係る光源装置３０は、特に、机や台などに設置される通常状態と、天井に設置される天吊り状態とのいずれの姿勢も採り得るプロジェクターに設置される場合に適している。なお、送風機は２つとする場合に限られず、透過カバー側供給ノズル２１へ送る冷却風の風量と副反射鏡側供給ノズル２３へ送る冷却風の風量との調整が可能であれば、送風機は１つであっても良い。
【実施例３】
【００３６】
図７は、本発明の実施例３に係る光源装置４０の概略断面構成を示す。本実施の形態に係る光源装置４０は、発光部１５に対して前側に副反射鏡４２、後側に透過カバー４３を有することを特徴とする。上記の実施例１と同一の部分には同一の符号を付し、重複する説明を省略する。
【００３７】
主反射鏡４１は、中心軸ＡＸを中心として楕円を回転させることにより得られる回転楕円面と略同じ形状をなしている。主反射鏡４１は、所望の形状に成形された基材の表面に高反射性部材、例えば誘電体多層膜や金属部材を蒸着させることにより構成されている。なお、主反射鏡４１は、回転楕円面と略同じ形状に限られず、例えば、放物線などの所定の曲線を回転させることにより得られる回転曲面と略同じ形状や、自由曲面形状などとしても良い。
【００３８】
副反射鏡４２は、発光部１５から射出した光を発光部１５へ向けて反射させる。副反射鏡４２は、発光部１５の周囲のうち、発光部１５に対して前側の部分（第１の部分）を覆う。副反射鏡４２と発光部１５との間には、隙間が設けられている。副反射鏡４２は、所望の形状に成形された基材の表面に高反射性部材、例えば誘電体多層膜や金属部材を蒸着させることにより構成されている。主反射鏡４１と副反射鏡４２とを設けることにより、光源装置４０からの光を利用する光学系へ、発光部１５から射出した光を効率良く進行させることが可能となる。
【００３９】
透過カバー４３は、発光部１５から射出した光を透過させる。透過カバー４３は、発光部１５の周囲のうち、発光部１５に対して後側の部分（第２の部分）を覆う。発光部１５は、発光部１５を介して互いに対向させて設けられた副反射鏡４２及び透過カバー４３によって、周囲を覆われている。透過カバー４３と発光部１５との間には、隙間が設けられている。透過カバー４３は、透明部材、例えば石英部材を用いて構成されている。なお、透過カバー４３のうち発光部１５側の表面には、発光部１５からの光の反射を低減させる反射防止膜を形成することが望ましい。これにより、発光部１５からの光を効率良く取り出すことが可能となる。
【００４０】
第１冷却風供給部である第１供給ノズル４４、及び第２冷却風供給部である第２供給ノズル４５は、第２封止部１７の近傍に設けられている。第１供給ノズル４４及び第２供給ノズル４５は、いずれも、副反射鏡４２及び透過カバー４３により囲まれた領域のうち、透過カバー４３に覆われた第２の部分と外部とを連通させて設けられている。第２封止部１７の近傍に第１供給ノズル４４及び第２供給ノズル４５を設けることにより、発光部１５から射出された光の遮蔽を低減可能な構成により、発光部１５の周囲へ冷却風を供給することができる。
【００４１】
基部側固着部４７は、主反射鏡４１のうち後側の基部４６に設けられている。基部側固着部４７は、第２封止部１７と、主反射鏡４１と、透過カバー４３と、第１供給ノズル４４と、第２供給ノズル４５とを固着する固着部として機能する。基部側固着部４７を設けることにより、基部４６において第１供給ノズル４４及び第２供給ノズル４５を固定することができる。副反射鏡側固着部４８は、副反射鏡４２のうち前側の部分を第１封止部１６に固着する。基部側固着部４７及び副反射鏡側固着部４８は、例えば、セメントを固化させて構成されている。なお、副反射鏡側固着部４８には、発光部１５から熱を奪った空気を外部へ排出させる不図示の排気口が設けられている。
【００４２】
第１供給ノズル４４からの冷却風、第２供給ノズル４５からの冷却風は、発光部１５の周囲を通過する。発光部１５から熱を奪った空気は、副反射鏡側固着部４８に設けられた排気口から排出される。なお、本実施例においても上記の実施例１と同様に、熱を奪った空気を外部へ排出するための排出ノズルを、第２封止部１７の近傍に設けても良い。
【００４３】
発光部１５の周囲のうち、発光部１５を介して副反射鏡４２に対向させて透過カバー４３を設けることにより、発光部１５表面における放熱の非対称性を解消させ、発光管１１の適切な温度調整を可能とする。本実施例の場合も、発光管１１の適切な温度調整を可能とし、発光管１１の劣化を低減させることができる。なお、本実施例の場合も、実施例２と同様に、姿勢検出部３４（図６参照）による検出結果に応じて冷却風の風量を調整することとしても良い。ノズルは、少なくとも２つであれば良く、３つ以上としても良い。
【実施例４】
【００４４】
図８は、本発明の実施例４に係るプロジェクター６０の概略構成を示す。プロジェクター６０は、不図示のスクリーンへ光を投写し、スクリーンで反射する光を観察することで画像を鑑賞するフロント投写型のプロジェクターである。プロジェクター６０は、上記実施例１に係る光源装置１０を有する。ここでは、光源装置１０は、図１に示す構成を上から見た状態を示している。
【００４５】
光源装置１０は、赤色（Ｒ）光、緑色（Ｇ）光、青色（Ｂ）光を含む光を射出する。凹レンズ７８は、光源装置１０から射出した光を平行化させる。第１インテグレーターレンズ６１及び第２インテグレーターレンズ６２は、アレイ状に配列された複数のレンズ素子を有する。第１インテグレーターレンズ６１は、凹レンズ７８からの光束を複数に分割する。第１インテグレーターレンズ６１の各レンズ素子は、凹レンズ７８からの光束を第２インテグレーターレンズ６２のレンズ素子近傍にて集光させる。第２インテグレーターレンズ６２のレンズ素子は、第１インテグレーターレンズ６１のレンズ素子の像を空間光変調装置上に形成する。
【００４６】
２つのインテグレーターレンズ６１、６２を経た光は、偏光変換素子６３にて特定の振動方向の直線偏光に変換される。重畳レンズ６４は、第１インテグレーターレンズ６１の各レンズ素子の像を空間光変調装置上で重畳させる。第１インテグレーターレンズ６１、第２インテグレーターレンズ６２及び重畳レンズ６４は、光源装置１０からの光の強度分布を空間光変調装置上にて均一化させる。重畳レンズ６４からの光は、第１ダイクロイックミラー６５に入射する。第１ダイクロイックミラー６５は、Ｒ光を反射し、Ｇ光及びＢ光を透過させる。第１ダイクロイックミラー６５へ入射したＲ光は、第１ダイクロイックミラー６５、反射ミラー６６でそれぞれ光路が折り曲げられ、Ｒ光用フィールドレンズ６７Ｒへ入射する。Ｒ光用フィールドレンズ６７Ｒは、反射ミラー６６からのＲ光を平行化し、Ｒ光用空間光変調装置６８Ｒへ入射させる。
【００４７】
Ｒ光用空間光変調装置６８Ｒは、Ｒ光を画像信号に応じて変調する空間光変調装置であって、透過型液晶表示装置である。Ｒ光用空間光変調装置６８Ｒに設けられた不図示の液晶パネルは、２つの透明基板の間に、光を画像信号に応じて変調するための液晶層を封入している。Ｒ光用空間光変調装置６８Ｒで変調されたＲ光は、色合成光学系であるクロスダイクロイックプリズム６９へ入射する。
【００４８】
第１ダイクロイックミラー６５を透過したＧ光及びＢ光は、第２ダイクロイックミラー７０へ入射する。第２ダイクロイックミラー７０は、Ｇ光を反射し、Ｂ光を透過させる。第２ダイクロイックミラー７０へ入射したＧ光は、第２ダイクロイックミラー７０で光路が折り曲げられ、Ｇ光用フィールドレンズ６７Ｇへ入射する。Ｇ光用フィールドレンズ６７Ｇは、第２ダイクロイックミラー７０からのＧ光を平行化し、Ｇ光用空間光変調装置６８Ｇへ入射させる。Ｇ光用空間光変調装置６８Ｇは、Ｇ光を画像信号に応じて変調する空間光変調装置であって、透過型液晶表示装置である。Ｇ光用空間光変調装置６８Ｇで変調されたＧ光は、クロスダイクロイックプリズム６９のうちＲ光が入射する面とは異なる面へ入射する。
【００４９】
第２ダイクロイックミラー７０を透過したＢ光は、リレーレンズ７１を透過した後、反射ミラー７２での反射により光路が折り曲げられる。反射ミラー７２からのＢ光は、さらにリレーレンズ７３を透過した後、反射ミラー７４での反射により光路が折り曲げられ、Ｂ光用フィールドレンズ６７Ｂへ入射する。Ｒ光の光路及びＧ光の光路よりもＢ光の光路が長いことから、空間光変調装置における照明倍率を他の色光と等しくするために、Ｂ光の光路には、リレーレンズ７１、７３を用いるリレー光学系が採用されている。
【００５０】
Ｂ光用フィールドレンズ６７Ｂは、反射ミラー７４からのＢ光を平行化し、Ｂ光用空間光変調装置６８Ｂへ入射させる。Ｂ光用空間光変調装置６８Ｂは、Ｂ光を画像信号に応じて変調する空間光変調装置であって、透過型液晶表示装置である。Ｂ光用空間光変調装置６８Ｂで変調されたＢ光は、クロスダイクロイックプリズム６９のうちＲ光が入射する面、Ｇ光が入射する面とは異なる面へ入射する。
【００５１】
クロスダイクロイックプリズム６９は、互いに略直交する２つのダイクロイック膜７５、７６を有する。第１ダイクロイック膜７５は、Ｒ光を反射し、Ｇ光及びＢ光を透過させる。第２ダイクロイック膜７６は、Ｂ光を反射し、Ｒ光及びＧ光を透過させる。クロスダイクロイックプリズム６９は、それぞれ異なる方向から入射したＲ光、Ｇ光及びＢ光を合成し、投写レンズ７７の方向へ射出する。投写レンズ７７は、クロスダイクロイックプリズム６９で合成された光をスクリーンの方向へ投写する。
【００５２】
プロジェクター６０は、上記の光源装置１０を用いることで、発光管１１（図１参照）の適切な温度調整により、発光管１１の劣化を低減できる。これにより、高い信頼性のプロジェクター６０を得られるという効果を奏する。プロジェクター６０は、上記実施例のいずれの光源装置を用いても良い。
【００５３】
プロジェクター６０は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクター６０は、色光ごとに空間光変調装置を備える構成に限られない。プロジェクター６０は、一の空間光変調装置により２つ又は３つ以上の色光を変調する構成としても良い。プロジェクター６０は、空間光変調装置を用いる場合に限られない。プロジェクター６０は、画像情報を持たせたスライドを用いるスライドプロジェクターであっても良い。プロジェクター６０は、スクリーンの一方の面に光を供給し、スクリーンの他方の面から射出される光を観察することで画像を鑑賞する、いわゆるリアプロジェクターであっても良い。本発明に係る光源装置は、プロジェクター６０に用いるものに限られない。光源装置は、例えば、懐中電灯等の照明機器や、自動車のヘッドライト等に適用しても良い。
【産業上の利用可能性】
【００５４】
以上のように、本発明に係る光源装置は、プロジェクターに用いる場合に適している。
【図面の簡単な説明】
【００５５】
【図１】本発明の実施例１に係る光源装置の斜視概略構成を示す図。
【図２】透過カバーを取り除いた状態を示す図。
【図３】図２に示す構成を後方から見た状態、及び送風機を示す図。
【図４】光源装置の断面概略構成を示す図。
【図５】送風部により供給された冷却風による発光部の冷却について説明する図。
【図６】本発明の実施例２に係る光源装置の概略構成を示す図。
【図７】本発明の実施例３に係る光源装置の概略断面構成を示す図。
【図８】本発明の実施例４に係るプロジェクターの概略構成を示す図。
【符号の説明】
【００５６】
１０  光源装置、１１  発光管、１２  主反射鏡、１３  副反射鏡、１４  透過カバー、１５  発光部、１６  第１封止部、１７第２封止部、２０  基部、ＡＸ  中心軸、２１  透過カバー側供給ノズル、２２  透過カバー側排出ノズル、２３  副反射鏡側供給ノズル、２４  副反射鏡側排出ノズル、２５  送風機、２６  送風管、２７  固着部、３０  光源装置、３１  第１送風機、３２  第２送風機、３３  風量調整部、３４  姿勢検出部、４０  光源装置、４１  主反射鏡、４２  副反射鏡、４３  透過カバー、４４  第１供給ノズル、４５  第２供給ノズル、４６  基部、４７  基部側固着部、４８  副反射鏡側固着部、６０  プロジェクター、６１  第１インテグレーターレンズ、６２  第２インテグレーターレンズ、６３  偏光変換素子、６４  重畳レンズ、６５  ダイクロイックミラー、６６  反射ミラー、６７Ｒ  Ｒ光用フィールドレンズ、６７Ｇ  Ｇ光用フィールドレンズ、６７Ｂ  Ｂ光用フィールドレンズ、６８Ｒ  Ｒ光用空間光変調装置、６８Ｇ  Ｇ光用空間光変調装置、６８Ｂ  Ｂ光用空間光変調装置、６９  クロスダイクロイックプリズム、７０  第２ダイクロイックミラー、７１、７３  リレーレンズ、７２、７４  反射ミラー、７５  第１ダイクロイック膜、７６  第２ダイクロイック膜、７７  投写レンズ、７８  凹レンズ
【図１】
2010170858.tif 000003
【図２】
2010170858.tif 000004
【図３】
2010170858.tif 000005
【図４】
2010170858.tif 000006
【図５】
2010170858.tif 000007
【図６】
2010170858.tif 000008
【図７】
2010170858.tif 000009
【図８】
2010170858.tif 000010